(57)【要約】【課題】眼鏡類に装着し簡易な構成でありながらも有効に、打球方向とは逆側の側方視野を遮蔽可能であり、更に、不使用時には容易に視野の制限を解除でき、右利き左利きどちらのゴルファーにも共用可能であり、視野の制限範囲を調整可能でもある眼鏡装着式ゴルフ補助具を提供すること。【解決手段】ゴルファーの眼鏡類に装着して、ゴルフの打球時に、視野を制限して集中力を向上させる補助具において、ゴルファーの眼鏡類の弦部に着脱自在に取り付ける設置部と、眼鏡類の弦部に懸架され、打球方向とは逆側の側方視野を遮蔽可能な遮蔽部とを設ける。【選択図】  図１
0003157329.tif 000002
【実用新案登録請求の範囲】
【請求項１】
ゴルファーの眼鏡類に装着して、ゴルフの打球時に、視野を制限して集中力を向上させる補助具であって、
ゴルファーの眼鏡類の弦部に着脱自在に取り付ける設置部と、
眼鏡類の弦部に懸架され、打球方向とは逆側の側方視野を遮蔽可能な遮蔽部とを備える
ことを特徴とする眼鏡装着式ゴルフ補助具。
【請求項２】
設置部が、眼鏡類の弦部を挟持可能な舌片を有し、
遮蔽部が、少なくとも遮蔽状態では略楕円形状の板状体である
請求項１に記載の眼鏡装着式ゴルフ補助具。
【請求項３】
遮蔽部が、複数の板状体から成り、折り畳みまたはスライドによって拡開可能であることによって、視野の制限範囲を調整可能である
請求項１または２に記載の眼鏡装着式ゴルフ補助具。
【考案の詳細な説明】
【技術分野】
【０００１】
本考案は、ゴルファーの眼鏡類に装着して、打球時に視野を制限して集中力を向上させる補助具に関する。
【背景技術】
【０００２】
ゴルフで、視界が広い状態でパッティングやスイングを行うと、気が散る要素が目に入る確率が高く、集中力を欠く原因となり得る。
また、側方等からの余分な光があると、芝目を読みにくくなったり、不利に作用することがある。眼鏡レンズの内面で反射した光が、目に入ることもある。
そのため、側方の視野、特に、打球方向とは逆側の側方視野は、遮蔽した方が好ましい。
【０００３】
視野を制限して集中力を向上させる従来の補助具には、特許文献１〜３がある。
しかし、常時、視野を制限したままの固定式であると、移動時に危険であったり、取り外しと装着を繰り返すことに不便であったりする。
また、視野の制限範囲が一定の固定式であると、個人個人の用途に対応困難である。
【先行技術文献】
【特許文献】
【０００４】
【特許文献１】特開平７−４７１５８  「優勢眼を用いたゴルフ視力訓練装置」
【特許文献２】特開２００５−３３０６３６  「ゴルフ用眼鏡」
【特許文献３】実用新案登録３０００８８８  「ゴルフのスイング制御用透視板」
【考案の概要】
【考案が解決しようとする課題】
【０００５】
そこで、本考案は、眼鏡類に装着し簡易な構成でありながらも有効に、打球方向とは逆側の側方視野を遮蔽可能であり、更に、不使用時には容易に視野の制限を解除でき、右利き左利きどちらのゴルファーにも共用可能であり、視野の制限範囲を調整可能でもある眼鏡装着式ゴルフ補助具を提供することを課題とする。
【課題を解決するための手段】
【０００６】
上記課題を解決するために、本考案は以下の構成を備える。すなわち、ゴルファーの眼鏡類に装着して、ゴルフの打球時に、視野を制限して集中力を向上させる補助具であって、ゴルファーの眼鏡類の弦部に着脱自在に取り付ける設置部と、眼鏡類の弦部に懸架され、打球方向とは逆側の側方視野を遮蔽可能な遮蔽部とを備えることを特徴とする。
なお、眼鏡類とは、狭義の眼鏡、サングラス、ゴーグルなどを含み、打球時に眼部に装着する眼鏡一般を指す。
【０００７】
ここで、設置部に、眼鏡類の弦部を挟持可能な少なくとも２枚の舌片を設け、遮蔽部を、少なくとも遮蔽状態では略楕円形状の板状体としてもよい。
【０００８】
また、遮蔽部を、複数の板状体から成るものとし、折り畳みまたはスライドによって拡開可能に構成して、視野の制限範囲を調整可能にしてもよい。
【考案の効果】
【０００９】
本考案によると、眼鏡類の弦部に容易に取り付けられ、打球方向とは逆側の側方視野を有効に遮蔽できる。また、不使用時には容易に視野の制限を解除でき、右利き左利きどちらのゴルファーにも共用可能であり、視野の制限範囲を個人個人の都合で調整可能でもあり、打球時の視野を適切に制限して集中力を向上させられると共に、余分な光を遮蔽することで成績を向上させられる。
【図面の簡単な説明】
【００１０】
【図１】本考案による眼鏡装着式ゴルフ補助具をゴルファーの眼鏡に装着した状態を示す正面図
【図２】同、側面図
【図３】一実施例の眼鏡装着式ゴルフ補助具の斜視図
【図４】平行スライド式の遮蔽部の説明図
【図５】回転スライド式の遮蔽部の説明図
【図６】折り畳み式の遮蔽部の説明図
【考案を実施するための最良の形態】
【００１１】
以下に、本考案の実施形態を、図面に示す実施例を基に説明する。なお、実施形態は下記の例示に限らず、本考案の趣旨から逸脱しない範囲で、前記文献など従来公知の技術を用いて適宜設計変更可能である。
また、以下の実施例では、器具の要部を説述するが、構造細部及び周辺装置は、標準的に用いられている従来公知の技術を適宜適用可能である。
【００１２】
図１及び２は、本考案による眼鏡装着式ゴルフ補助具をゴルファーの眼鏡に装着した状態を示す正面図及び側面図、図３は、一例のゴルフ補助具の斜視図である。
ゴルフ補助具は、ゴルファーの眼鏡（１０）の弦部（１１）に、設置部（２０）を介して着脱自在に取り付けられる。
【００１３】
設置部（２０）は、略板状の舌片（２１）を備える。
図示の舌片（２１）は、遮蔽部（３０）の遮蔽板（３１）から突出し、下方の開口した略樋状に設けられ、遮蔽板（３１）に近接する方向に付勢されている。それら舌片（２１）と遮蔽板（３１）との間隙に眼鏡（１０）の弦部（１１）を挟むことで、眼鏡（１０）にゴルフ補助具が装着される。なお、舌片（２１）の端部（２２）は離隔していて、眼鏡（１０）の弦部（１１）を挿入しやすく構成されている。
【００１４】
また、２枚の舌片（２１）を、遮蔽部（３０）の遮蔽板（３１）に付設して、その両舌片（２１）の間隙に眼鏡（１０）の弦部（１１）を挟む構成にしてもよい。
また、眼鏡（１０）の弦部（１１）を挿入する間隙を拡開する力を伝達可能な把持片を付設してもよい。すなわち、洗濯挟み状のクリップと同様の構成にして、把持片をつまむことによって間隙を拡げ、眼鏡（１０）の弦部（１１）を挿入しやすくする。
なお、このような舌片（２１）による眼鏡（１０）の弦部（１１）の挟持構造は、従来公知の挟持機構を適宜利用できる。
【００１５】
遮蔽部（３０）は、眼鏡（１０）の弦部（１１）から垂下され、ゴルファーの打球方向とは逆側の側方視野を遮蔽可能な遮蔽板（３１）を備える。
図示の遮蔽板（３１）の形状は略楕円形状であるが、多角形などでもよく、大きさも、側方視野を遮蔽可能であれば任意である。
【００１６】
設置部（２０）を遮蔽板（３１）の左右中央部に設ければ、装着する弦部（１１）の位置を変えることで、右利き左利きどちらのゴルファーにも共用可能である。
【００１７】
図４〜６は、遮蔽部の別実施例を示し、図４は、平行スライド式の遮蔽部の説明図、図５は、回転スライド式の遮蔽部の説明図、図６は、折り畳み式の遮蔽部の説明図である。
遮蔽部（３０）を、複数の板状体で構成し、その拡開によって面積を調整可能にすることで、視野の制限範囲を調整可能にし、また、収納時の小型化にも寄与する。
【００１８】
図４は、平行スライド式の遮蔽部の例であり、一方の遮蔽板（３１）の内側または内部に収容されていた他の遮蔽板（３２）を平行に引き出すことによって、視野の制限範囲を大きくすることができる。なお、収容する遮蔽板（３２）の枚数は任意であり、収容及び引き出し様式は従来公知のスライド機構を適宜利用できる。
【００１９】
図５は、回転スライド式の遮蔽部の例であり、一方の遮蔽板（３１）の内側または内部に収容されていた他の遮蔽板（３２）を、支軸（３３）を軸に回転させて引き出すことによって、視野の制限範囲を大きくすることができる。
【００２０】
図６は、折り畳み式の遮蔽部の例であり、扇子と同様に、端部の遮蔽板（３１）の内側または内部に収容されていた他の多数の遮蔽板（３２）（３４）を、支軸（３３）を軸に回転させて引き出すことによって、視野の制限範囲を大きくすることができる。本実施例は、前記実施例と比べて、不使用時における小型化に寄与する。
【産業上の利用可能性】
【００２１】
本考案によると、打球方向とは逆側の側方視野を簡易に遮蔽できるので、打球時の集中力を向上させられ、また、余分な光を遮蔽することで成績を向上させられるので、実用的であり産業上利用価値が高い。
【符号の説明】
【００２２】
１０  眼鏡
１１  眼鏡の弦部
２０  設置部
２１  舌片
２２  舌片の端部
３０  遮蔽部
３１、３２  遮蔽板
３１’、３２’、３４  移動後の遮蔽板
３３  支軸
【図１】
0003157329.tif 000003
【図２】
0003157329.tif 000004
【図３】
0003157329.tif 000005
【図４】
0003157329.tif 000006
【図５】
0003157329.tif 000007
【図６】
0003157329.tif 000008